(57)【要約】【課題】  電柱の先端部に強固に固定できる電柱キャップを提供する。【解決手段】  電柱の先端部に取り付けられることで、電柱本体の先端部と電柱本体の先端面から突出する鉄筋とを被覆する電柱キャップであって、電柱本体の先端面を被覆する天板部及び天板部の周縁に連続する外壁部を有する蓋部と、蓋部の内面のうち、電柱本体の先端面に対向する天板部の内面に固定され、電柱本体の先端面に当接可能な当接部とを備え、当接部は、電柱本体の先端面及び鉄筋の形状に応じて変形可能な変形部と、変形部の表面に形成される接着部とを有する。【選択図】  図３
2014236645.tif 000002
【特許請求の範囲】
【請求項１】
電柱の先端部に取り付けられることで、電柱本体の先端部と電柱本体の先端面から突出する鉄筋とを被覆する電柱キャップであって、
電柱本体の先端面を被覆する天板部及び天板部の周縁に連続する外壁部を有する蓋部と、蓋部の内面のうち、電柱本体の先端面に対向する天板部の内面に固定され、電柱本体の先端面に当接可能な当接部とを備え、当接部は、電柱本体の先端面及び鉄筋の形状に応じて変形可能な変形部と、変形部の表面に形成される接着部とを有することを特徴とする電柱キャップ。
【請求項２】
外壁部は、電柱本体の先端部の外周面に当接する内周面に連続形成され且つ電柱の径に合わせて突出する突起部を有することを特徴とする請求項１に記載の電柱キャップ。
【請求項３】
変形部が固定される天板部の内面と反対の外面に形成される被保持部を備えることを特徴とする請求項１又は２に記載の電柱キャップ。
【請求項４】
被保持部は、天板部の外面から突出する被保持部本体と、被保持部本体の中途部分に形成される折目部とを有することを特徴とする請求項３に記載の電柱キャップ。
【発明の詳細な説明】
【技術分野】
【０００１】
本発明は、電柱の先端部に取り付けられる電柱キャップに関する。
【背景技術】
【０００２】
電柱は、一般的に、コンクリート（モルタル）製で上端部を開口する概略円筒形状に作製されている。より具体的に、電柱は、コンクリート円筒体の周壁に多数本の鉄筋を軸心方向に沿って貫通して作成されている。このような電柱には、開口から雨水が浸入することや、上端部端面及び鉄筋の風雨や日光への曝露によりコンクリートの劣化を防止することを目的として、電柱キャップが電柱の上端部（先端部）に取り付けられる。
【０００３】
ところで、電柱キャップは、開口を閉止する部材から、電柱の先端部の外周面に沿って突出するリブ形状の外壁部を用いて電柱の先端部に取り付けるようになっている。より具体的に、このような電柱キャップでは、開口を閉止する部材から、電柱の先端部の外周面に接触する外壁部の面に縦突起が形成される。そして、電柱キャップが電柱の先端部に位置合わせされて電柱の軸方向に移動されることで、外壁部も電柱の軸方向に移動する。このとき、縦突起が電柱の先端部の外周面に圧接されながら摺動することで、最終的に、電柱キャップは、電柱の先端部に取り付けられる。しかしながら、電柱キャップ自体も風雨や日光に曝露されるため、電柱キャップは、径年劣化から緩みや脱落することがあった。
【０００４】
そこで、このような緩みや脱落を防止する電柱キャップとして、電柱の先端部に溝や突起を設け、該溝や突起に対応する突起や溝を電柱キャップに形成して、電柱キャップを電柱先端に係合する電柱キャップが知られている（例えば、特許文献１）。
【先行技術文献】
【特許文献】
【０００５】
【特許文献１】特開２０１２−１４９４６９号公報
【発明の概要】
【発明が解決しようとする課題】
【０００６】
特許文献１に記載されているような電柱キャップを用いることは、電柱キャップの緩みや脱落を防止する観点で有用である。しかしながら、特許文献１に記載されているような電柱キャップによれば、電柱も特殊な形状にする必要があるため、既存の電柱に適用することはできない。
【０００７】
本発明は、斯かる事情に鑑み、電柱の先端部に強固に固定できる電柱キャップを提供することを課題とする。
【課題を解決するための手段】
【０００８】
本発明に係る電柱キャップは、電柱の先端部に取り付けられることで、電柱本体の先端部と電柱本体の先端面から突出する鉄筋とを被覆する電柱キャップであって、電柱本体の先端面を被覆する天板部及び天板部の周縁に連続する外壁部を有する蓋部と、蓋部の内面のうち、電柱本体の先端面に対向する天板部の内面に固定され、電柱本体の先端面に当接可能な当接部とを備え、当接部は、電柱本体の先端面及び鉄筋の形状に応じて変形可能な変形部と、変形部の表面に形成される接着部とを有することを特徴とする。
【０００９】
本発明に係る電柱キャップによれば、電柱キャップは、設置された電柱の先端部に取り付けられる。ここで、電柱の先端部には、電柱本体の先端面と、電柱本体の先端面から露出する鉄筋とが存在する。電柱キャップの天板部が電柱の先端部で取り付け位置に位置合わせされることで、当接部は、電柱本体の先端面に位置合わせされる。そして、蓋部の天板部が電柱の先端面に位置合わせされた状態で、電柱に接近する方向に移動されると、当接部は、まず、電柱本体の先端面から突出する鉄筋に当接する。
【００１０】
さらに、天板部が電柱に接近する方向に移動されると、当接部は、鉄筋の形状に合わせて形状を局所的に変化させる。具体的に、変形部及び接着部は、鉄筋の突出に合わせて凹む。最終的に、蓋部が電柱の先端部に固定される位置まで移動されると、当接部は、電柱本体の先端面に当接した状態になる。変形部は、鉄筋の突出長さに応じて凹むことで、電柱本体の上端縁及び鉄筋の形状に応じて変形する。ここで、接着部が変形部の表面に設けられていることから、接着部は、電柱本体の上端面に粘着する。これにより、蓋部が電柱本体の上端部に強固に固定される。したがって、電柱キャップの電柱への固定を強固にすることができる。
【００１１】
また、本発明の更なる構成として、外壁部は、電柱本体の先端部の外周面に当接する内周面に連続形成され且つ電柱の径に合わせて突出する突起部を有してもよい。
【００１２】
かかる構成によれば、天板部が電柱に接近する方向に移動されると、外壁部は、電柱本体の軸方向に沿って移動する。このとき、突起部が電柱本体の先端部の外周面に当接することで、突起部は、電柱本体の先端部の外周面との間に摩擦力を生じさせる。そして、突起部が、外壁部の内周面のうち、電柱本体の先端部の外周面に対向する面に連続形成されていることから、蓋部が電柱に固定される位置まで移動されると、複数の突起部と電柱本体の先端部の外周面との間で大きな摩擦力が生じる。これにより、当接部に加えて、蓋部が電柱の先端部の外周面に強固に固定されるので、電柱キャップの電柱への固定を強固にすることができる。
【００１３】
また、本発明の更なる構成として、変形部が固定される天板部の内面と反対の外面に形成される被保持部を備えてもよい。
【００１４】
かかる構成によれば、間接活線工法により、被保持部が間接活線工具で保持されて移動されることで、蓋部は、電柱本体の軸方向に位置合わせされる。これにより、既に設置された電柱に対して電柱キャップを間接活線作業で取り付けることが可能になる。また、電柱キャップを電柱の先端部に取り付ける際の作業性を向上させることができる。また、取り付け作業における安全性を向上することができる。
【００１５】
上記構成の更なる構成として、被保持部は、天板部から突出する被保持部本体と、被保持部本体の中途部分に形成される折目部とを有してもよい。
【００１６】
かかる構成によれば、電柱キャップが電柱の先端部に固定された後、折目部が折り曲げられることで、被保持部本体の一部は、天板部との接続から解放されて除去される。これにより、電柱周りの作業において、被保持部が作業を阻害することを防止でき、作業性を向上させることができる。
【発明の効果】
【００１７】
以上の如く、本発明に係る電柱キャップによれば、電柱の先端部に強固に固定できるというすぐれた効果を奏する。
【図面の簡単な説明】
【００１８】
【図１】本発明の一実施形態に係る電柱キャップを電柱の先端部に取り付ける概略斜視図を示す。
【図２】同実施形態に係る電柱キャップを示し、図２（ａ）は、電柱キャップの概略底面図、図２（ｂ）は、図２（ａ）におけるＡ−Ａ断面図を示す。
【図３】同実施形態に係る電柱キャップが電柱の先端部に取り付けられた状態の概略断面図を示す。
【図４】同実施形態に係る電柱キャップの被保持部を除去した概略断面図を示す。
【図５】同実施形態に係る内壁部を変更した電柱キャップの概略正面図を示す。
【発明を実施するための形態】
【００１９】
以下、本発明に係る電柱キャップにおける第１の実施形態について、図１乃至図４を参照して説明する。
【００２０】
図１乃至図４に示すように、本実施形態に係る電柱キャップ１は、電柱１００の軸方向端縁（上端面）に取り付けられることで、電柱本体１０１の上端部と電柱本体１０１の上端面から突出する鉄筋１１０とを被覆する電柱キャップ１であって、電柱本体１０１の上端面を被覆する天板部１１及び天板部１１の周縁に連続する外壁部１２を有する蓋部１０と、蓋部１０の内面のうち、電柱本体１０１の上端面に対向する天板部１２の内面に固定され、電柱本体１０１の上端面に当接可能な当接部３０とを備える。また、電柱キャップ１は、当接部３０が固定される天板部１１の内面の反対の外面に形成される取っ手状の被保持部２０を備える。ここで、蓋部１０及び被保持部２０は、全体として、プラスチック等で形成される。より好ましくは、蓋部１０及び被保持部２０は、一体的に形成される。
【００２１】
蓋部１０は、底面側を開口する凹状に形成され、底面側の開口から電柱本体１０１の上端部及び鉄筋１１０の挿入を受け入れることで、電柱１００の上端部に取り付けられる。図２乃至図４に示すように、蓋部１０は、さらに、円筒状の電柱本体１０１の先端部の内周面に当接する内壁部１３を有する。
【００２２】
天板部１１は、円板状に形成される。より詳しくは、天板部１１は、電柱本体１０１の上端部の径に外壁部１２の厚さを加えた径の円板状に形成される。天板部１１は、内面側を電柱本体１０１の上端面に対向して電柱１００の上端部に取り付けられることで、電柱本体１０１の上端部の開口を閉止する。
【００２３】
外壁部１２は、天板部１１の内面から突出してリブ状に形成される。より詳しくは、外壁部１２は、天板部１１の内面から電柱本体１０１の上端部の外周面に当接可能なように突出してリブ状に形成される。これにより、外壁部１２は、天板部１１の周方向で円環形状に形成される。そして、外壁部１２は、電柱本体１０１の上端部の外周面に当接する面（内面）の全面に連続形成され、且つ電柱の径に合わせて突出する複数の突起部１４を有する。
【００２４】
複数の突起部１４のそれぞれは、外壁部１２の周方向及び外壁部１２の突出方向にわたり設けられることで、全面に連続形成される。そして、外壁部１２の周方向に沿って突起部１４のそれぞれの頂点を結んだ線は、外壁部１２と同様に円環形状に形成される。また、外壁部１２の周方向に沿って突起部１４のそれぞれの頂点を結んだ円環形状は、電柱本体１０１の上端部と同じ径又は、電柱本体１０１の上端部を挿入可能な程度に小さい径に形成される。これにより、蓋部１０が電柱本体１０１の上端部に取り付けられる際に、複数の突起部１４は、電柱本体１０１の上端部の外周面を摺動して圧接することで、電柱本体１０１の上端部に蓋部１０を強固に固定する。
【００２５】
内壁部１３は、外壁部１２と同様に、天板部１１の内面からリブ状に突出して形成される。より具体的に、内壁部１３は、鉄筋１１０の露出する長さに対して、より長い高さをもってリブ状に突出して形成される。また、内壁部１３は、その外周面の径を電柱本体１０１の上端部の内周面の径と同じ径となるように形成される。これにより、蓋部１０が電柱本体１０１の上端部に取り付けられる際に、内壁部１３の外周面は、電柱本体１０１の上端部の内周面に当接する。
【００２６】
当接部３０は、電柱本体１０１の上端面及び鉄筋１１０の形状に応じて弾性変形可能な変形部３１と、変形部３１の端面に形成される接着部３２とを有する。当接部３０は、天板部１１の内面で、内壁部１３及び外壁部１２の間に貼付されて形成される。すなわち、当接部３０は、電柱本体１０１の上端面及び鉄筋１１０に当接可能な位置に形成される。
【００２７】
変形部３１は、例えば、発泡性材料等の弾性材料であり、且つ弾性変形可能な軟性材料で形成される。そして、変形部３１は、円環形状で、内径を内壁部１３の外周面と同じ又はより大きい径であり、且つ外径を外壁部１２の周方向に沿う突起部１４の頂点を結んだ線の円環形よりもより小さい径で形成される。これにより、変形部３１は、内壁部１３及び外壁部１２の間に挿入可能になっている。また、変形部３１は、電柱本体１０１の上端面から露出する鉄筋１１０の長さを充分に吸収可能な厚さで形成される。このような変形部３１は、厚さ方向の一方の面を接着部３２に覆われ、他方の面で天板部１１の内面に接着される。
【００２８】
接着部３２は、コンクリート（モルタル）及び金属に接着乃至粘着可能な材料で形成される。具体的には、接着部３２は、接着剤や粘着剤である。そして、接着部３２は、変形部３１の一方の面の全体に形成される。
【００２９】
被保持部２０は、天板部１１から突出する被保持部本体２１と、被保持部本体２１の中途部分に形成される折目部２２とを有する。
【００３０】
被保持部２０は、天板部１１の外面から突出して形成される。本実施形態において、被保持部２０は、天板部１１の径方向、且つ天板部１１の中心から等距離離間した位置の２点から突出して形成されるとともに、突出部分を繋ぐ梁を有して形成される。被保持部２０は、間接活線作業で蓋部１０を電柱本体１０１の上端部に取り付ける際に、間接活線工具を用いた持ち手として用いられる。
【００３１】
折目部２２は、被保持部２０の２つの突出部分それぞれの中途部に一対に設けられる。本実施形態において、折目部２２のそれぞれは、被保持部本体２１の太さよりもより細く形成される。これにより、折目部２２は、被保持部本体２１を天板部１１の他方の面に平行な方向の力により曲げ折り可能になっている。
【００３２】
本実施形態に係る電柱キャップ１の構成については以上の通りであり、次に、本実施形態に係る電柱キャップ１の作用について説明する。
【００３３】
まず、電柱キャップ１は、図示しない間接活線工具（例えば、絶縁ヤットコ）を用いて被保持部２０を掴まれる。電柱キャップ１は、図示しない絶縁ヤットコを用いて、電柱本体１０１の上端部に近づけられる。そして、電柱キャップ１は、電柱本体１０１の軸方向に位置合わせされて、図１に示すように、電柱本体１０１の軸方向に沿って、電柱本体１０１の上端部に近付けられる。
【００３４】
電柱キャップ１は、電柱本体１０１の上端部に接触すると、電柱本体１０１の上端部の外周面に沿って、外壁部１２を摺動するように移動される。具体的に、電柱キャップ１は、電柱本体１０１の上端部に位置合わせされた後、天板部１１が、図示しないハンマ等で叩かれる。これにより、突起部１４は、電柱本体１０１の上端部の外周面を摺動しつつ移動する。このとき、突起部１４のそれぞれは、電柱本体１０１の上端部の外周面に圧接することで、電柱本体１０１の上端部の外周面との間で摩擦力を発生させる。
【００３５】
電柱キャップ１が電柱本体１０１の軸方向に沿って移動すると、鉄筋１１０の上端が接着部３２に当接する。そして、さらに電柱キャップ１が移動すると、変形部３１が鉄筋１１０の突出形状に応じて弾性変形する。すなわち、変形部３１は、鉄筋１１０の突出形状に応じて局所的に凹む。そして、電柱キャップ１が電柱本体１０１の軸方向に沿ってさらに移動すると、内壁部１３の外周面が、電柱本体１０１の上端部の内周面に当接しながら軸方向に移動する。
【００３６】
また、変形部３１が鉄筋１１０の突出長さよりも厚く形成されていることから、電柱キャップ１が充分に電柱本体１０１の軸方向に沿って移動すると、鉄筋１１０の頂面が天板部１１の内面まで到達する前に、接着部３２は、電柱本体１０１の上端面に当接する。すなわち、接着部３２は、電柱本体１０１の上端面に当接する状態になる。これにより、当接部３０は、天板部１１の内面と、電柱本体１０１の上端縁に接着した状態になる。すなわち、電柱キャップ１は、図３に示すように、電柱本体１０１の上端部に取り付けられた状態になる。
【００３７】
このとき、突起部１４のそれぞれは、電柱本体１０１の上端部の外周面に圧接される。したがって、突起部１４のそれぞれは、電柱キャップ１（蓋部１０）が脱落する方向（上方）への移動に対して摩擦力を発生させる。特に、突起部１４のそれぞれが外壁部１２の内面全面に連続して形成されることで、より大きな摩擦力を発生させる。
【００３８】
その後、図４に示すように、被保持部本体２１は、折目部２２を中心に折り曲げられる。これにより、保保持部本体２１は、折目部２２の部分で折られ、折目部２２より上部に形成された部分を除去される。
【００３９】
以上より、本実施形態に係る電柱キャップ１は、電柱本体１０１の上端部に取り付けられることで、電柱本体１０１の上端部と電柱本体１０１の上端面から突出する鉄筋１１０とを被覆する電柱キャップ１であって、電柱本体１０１の上端面を被覆する天板部１１及び天板部１１の周縁に連続する外壁部１２を有する蓋部１０と、蓋部１０の内面のうち、電柱本体１０１の上端面に対向する天板部１１の内面に固定され、電柱本体１０１の上端面に当接可能な当接部３０とを備え、当接部３０は、電柱本体１０１の上端面及び鉄筋１１０の形状に応じて弾性変形可能な変形部３１と、変形部３１の表面に形成される接着部３２とを有する。
【００４０】
本実施形態に係る電柱キャップ１によれば、電柱キャップ１は、設置された電柱１００の上端部に取り付けられる。ここで、電柱１００の上端部には、電柱本体１０１の上端面と、電柱本体１０１の上端面から露出する鉄筋１１０が存在する。電柱キャップ１の天板部１１が電柱１００の上端部で取り付け位置に位置合わせされることで、当接部３０は、電柱本体１０１の上端面及び鉄筋１１０の位置に位置合わせされる。具体的に、外壁部１２の内周面と電柱本体１０１の上端部の外周面とを位置合わせすることで、当接部３０が電柱本体１０１の軸方向に位置合わせされる。そして、蓋部１０の天板部１１が電柱１００（電柱本体１０１）の上端面に位置合わせされた状態で、電柱１００に接近する方向に移動されると、当接部３０は、まず、電柱本体１０１の上端面から突出する鉄筋１１０に当接する。
【００４１】
さらに、天板部１１が電柱１００に接近する方向に移動されると、当接部３０は、鉄筋１１０の形状に合わせて形状を局所的に変化させる。具体的に、変形部３１及び接着部３２は、鉄筋１１０の突出に合わせて凹む。最終的に、蓋部１０が電柱１００の上端部に固定される位置まで移動されると、当接部３０は、電柱本体１０１の上端面に当接する状態になる。変形部３１は、鉄筋１１０の突出長さに応じて局所的に凹むことで、電柱本体１０１の上端面及び鉄筋１１０の形状に応じて変形する。ここで、接着部３２が変形部３１の表面に設けられていることから、接着部３２は、電柱本体１０１の上端面及び鉄筋１１０の表面の両方に接着する。これにより、蓋部１０が、電柱本体１０１の上端面及び鉄筋１１０の表面に強固に固定される。したがって、電柱キャップ１の電柱本体１０１への固定を強固にすることができる。そして、電柱キャップ１を作業性良く電柱１００の上端部に取り付けることができる。また、作業性が良くなることで、安全性を向上することができる。
【００４２】
また、本実施形態の更なる構成として、外壁部１２は、電柱本体１０１の上端部の外周面に対向する内周面の全面に連続形成され、且つ電柱１００の径に合わせて突出する突起部１４を有する。
【００４３】
かかる構成によれば、天板部１１が電柱１００に接近する方向に移動されると、外壁部１２は、電柱本体１０１の軸方向に沿って移動する。このとき、突起部１４が電柱本体１０１の上端部の外周面に当接することで、突起部１４は、電柱本体１０１の上端部の外周面との間に摩擦力を生じさせる。そして、突起部１４が、外壁部１２の内周面のうち、電柱本体１０１の外周面に当接する面の全面に連続形成されていることから、天板部１１が電柱１００に固定される位置まで移動されると、複数の突起部１４と電柱本体１０１の上端部の外周面との間で大きな摩擦力が生じる。これにより、当接部３０に加えて、蓋部１０が電柱１００の上端部に強固に固定されるので、電柱キャップ１の電柱１００への固定を強固にすることができる。
【００４４】
また、本実施形態の更なる構成として、当接部３０が固定される天板部１１の面の反対の面（外面）に形成される被保持部２０を備える。
【００４５】
かかる構成によれば、間接活線工法により、被保持部２０が間接活線工具で保持されて移動されることで、蓋部１０は、電柱本体１０１の軸方向に位置合わせされる。これにより、既に設置された電柱１００に対して電柱キャップ１を間接活線作業で取り付けることが可能になる。また、電柱キャップ１を電柱１００に取り付ける際の作業性を向上させることができる。そして、取り付け作業における安全性を向上することができる。
【００４６】
上記構成の更なる態様として、被保持部２０は、天板部１１から突出する被保持部本体２１と、被保持部本体２１の中途部分に形成される折目部２２とを有する。
【００４７】
かかる構成によれば、電柱キャップ１が電柱１００の上端部に固定された後、折目部２２が折り曲げられることで、被保持部本体２１の一部は、天板部１１との接続から解放されて除去される。これにより、電柱１００周りの作業において、被保持部本体２１が作業を阻害することを防止でき、作業性を向上させることができる。
【００４８】
なお、本発明に係る電柱キャップは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４９】
例えば、本実施形態に係る電柱キャップ１においては、図５に示すように、内壁部１３の構造を変更してもよい。具体的に、内壁部１３は、天板部１１から粘着部３２の位置を越えて十分に突出し、電柱本体１０１の内面に十分な面積で当接するようにしてもよい。例えば、内壁部１３は、天板部１１からの突出量を、天板部１１からの外壁部１２の突出量と同じ、又は粘着部３２の位置を越えて、外壁部１２の突出方向端縁により近い位置まで突出してもよい。そして、内壁部１３は、円筒形状で天板部１１から突出して形成されてよい。また、内壁部１３は、突出方向端面の一部を軸方向に対して傾斜して形成されてよい。具体的に、内壁部１３は、突出方向端面の一部を、外径方向の一方向に向けて軸方向に対して傾斜して形成されてよい。
【００５０】
さらに、内壁部１３は、突出方向側面と突出方向端面との接続部分を面取りして構成されていてよい。また、内壁部１３は、突出方向線端面で、軸方向に対して傾斜しない面と、軸方向に対して傾斜する面との接続部分を面取りして構成されてもよい。
【００５１】
電柱本体１０１に電柱キャップ１が挿入されると、上記形態の電柱キャップ１に比べ、壁面１０１と電柱キャップ１との間の接触面積が広がる。これにより、電柱キャップ１と電柱本体１０１との間の接触抵抗が増し、電柱キャップ１が電柱本体１０１から脱落することを効果的に防止できる。
【００５２】
また、内壁部１３が天板部１１から十分に突出していることで、電柱キャップ１が電柱本体１０１に取り付けられる際に、電柱本体１０１の内面側の異常を発見することができる。具体的に、電柱キャップ１が電柱本体１０１に取り付けられる際に、電柱本体１０１の内面側に異常があると、内壁部１３が該異常（例えば、電柱本体１０１内面への障害物の付着等）により挿入を阻害される。これにより、電柱キャップ１が電柱本体１０１に取り付けられにくなるので、電柱本体１０１の先端側内面の異常を容易に発見することができる。また、内壁部１３が天板部１１から十分に突出しており、内壁部１３の側壁面及び突出側端面の接続部分が面取りされていることで、電柱キャップ１と電柱本体１０１先端との位置合わせの確実性を増すことができる。さらには、電柱キャップ１を電柱本体１０１に取り付ける際に、電柱キャップ１の表面を叩いたとしても、電柱キャップ１の変形を防止できる。
【００５３】
また、電柱キャップ１が電柱本体１０１に取り付けられる際に風等の影響を受ける場合には、内壁部１３の突出長さのより長い側から電柱キャップ１を電柱本体１０１に挿入することで、電柱キャップ１を電柱本体１０１に仮に固定できる。これにより、電柱キャップ１が風等の影響を受ける場合であっても、作業性を向上させることができ、作業の安全性も向上させることができる。
【００５４】
また、本実施形態に係る電柱キャップ１においては、内壁部１３及び外壁部１２の間に当接部３０を設ける構成で説明したが、内壁部１３を設けない構成を採用することもできる。この場合、当接部３０は、天板部１１の内面の全面（外壁部１２の突出位置に囲まれる領域）に設けられても良い。このようにすることでも、変形部３１は、鉄筋１１０の形状に応じて凹み、接着部３２を電柱本体１０１の上端面に当接させることができる。したがって、電柱キャップ１は、電柱１００の上端部に強固に取り付けられる。
【００５５】
また、上記実施形態に係る電柱キャップ１においては、被保持部２０が梁状に形成される例で説明したが、これに限定されない。例えば、被保持部２０は、単に、天板部１１の外面から突出する突起として設けられても良く、複数の突起として設けられても良い。また、被保持部本体２１は、天板部１１の外面から複数突出する部分と、突出する部分を繋ぐ梁状部分とで形成されてもよい。要は、間接活線工具で電柱キャップ１を安定して保持できる形状であればどのような形状でも採用できる。
【００５６】
また、上記実施形態に係る電柱キャップ１においては、電柱キャップ１が電柱１００に取り付けられた後に、被保持部本体２１を曲げ折る構成としたがこれに限定されない。例えば、電柱キャップ１が電柱本体１０１の軸方向に取り付け方向を位置合わせされ、電柱本体１０１の上端部に載置された後に、被保持部本体２１が折られるようにしてもよい。
【００５７】
また、上記実施形態に係る電柱キャップ１において、折目部２２は、被保持部本体２１よりも細い構成としたが、目印等のマークであってもよい。マークに対して切れ込みを入れることで、被保持部本体２１が折られる構成を採用することもできる。また、折目部２２は、被保持部本体２１の突出部分全体として、該部分の任意の場所に切れ込みを入れることで曲げ折ることができる構成としてもよい。
【００５８】
また、上記実施形態に係る電柱キャップ１において、天板部１１を円板状としたが、電柱１００の径方向の形状に合わせ、方形状や楕円形状等、種々の形状を採用することができる。
【００５９】
また、上記実施形態に係る電柱キャップ１において、突起部１４は、先端円形状の突起や、先端突形状の突起等、種々の形状の突起を採用することができる。
【符号の説明】
【００６０】
１  電柱キャップ
１０  蓋部
１１  天板部
１２  外壁部
１３  内壁部
１４  突起部
２０  被保持部
２１  被保持部本体
２２  折目部
３０  当接部
３１  変形部
３２  接着部
１００  電柱
１０１  電柱本体
１１０  鉄筋
【図１】
2014236645.tif 000003
【図２】
2014236645.tif 000004
【図３】
2014236645.tif 000005
【図４】
2014236645.tif 000006
【図５】
2014236645.tif 000007